【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
タイヤ（２００）を検査するための装置（１）であって、
上に載る前記タイヤを受けるように適合された支持体（１０２）と、
物理的接触を介して前記タイヤの内面（２１３）の弾性変形部分と外面（２１２）の弾性変形部分とを形成するよう、前記タイヤ（２００）の外面の部分を変形するように構成された変形システム（１３０）と、
外面（２１２）の前記変形部分を拡散光放射で照射するために第１の光放射を発するように適合された第１の光源（１１０）、外面の前記照射された変形部分の第１の画像を検出し、前記検出された第１の画像を表す少なくとも１つの制御信号を生成するように適合された第１のカメラ（１０５ａ）、ならびに前記第１の光源（１１０）および前記第１のカメラ（１０５ａ）を駆動する第１の制御ユニット（１０４ａ）と、
内面の前記変形部分をグレージング光放射で照射するために第２の光放射を発するように適合された第２の光源（１０８）、内面の前記照射された変形部分の少なくとも１つの第２の画像を検出し、前記検出された少なくとも１つの第２の画像を表す少なくとも１つの制御信号を生成するように適合された第２のカメラ（１０５ｂ）、ならびに前記第２の光源（１０８）および前記第２のカメラ（１０５ｂ）を駆動する第２の制御ユニット（１４０ｂ）と、
前記支持体（１０２）を前記タイヤ（２００）の回転軸（２０１）の周りで前記第１の光源（１１０）、前記第２の光源（１０８）、および前記変形システム（１３０）に対して相対回転させるように適合された移動部材と、
前記第１の光源（１１０）および前記第２の光源（１０８）が外面の前記変形部分および内面の前記変形部分を照射する間、前記変形システム（１３０）が作用し、前記移動部材が前記相対回転を付与するように構成された処理ユニット（１８０）と
を含む装置（１）。
【請求項２】
前記第２のカメラ（１０５ｂ）が光学面（１０７ｂ）を定め、前記第２の光源（１０８）が、内面の前記変形部分をグレージング光放射で照射する光放射を発するように適合された第３のサブ光源（１１１ａ）と、内面の前記変形部分をグレージング光放射で照射する光放射を発するように適合された第４のサブ光源（１１１ｂ）とを含み、前記第３のサブ光源（１１１ａ）および前記第４のサブ光源（１１１ｂ）が、前記光学面（１０７ｂ）に関して対向する半平面上に配置される、請求項１に記載の装置（１）。
【請求項３】
前記第３のサブ光源（１１１ａ）および前記第４のサブ光源（１１１ｂ）が、前記光学面（１０７ｂ）に関して対称に配置される、請求項２に記載の装置（１）。
【請求項４】
第３の光放射を発し、拡散光放射によって内面の前記変形部分を照射するように適合された第３の光源（１０９）を含む、請求項１〜３のいずれか一項に記載の装置（１）。
【請求項５】
前記第２のカメラ（１０７ｂ）が光学面（１０７ｂ）を定め、前記第３の光源（１０９）が前記光学面に関して対称に配置される、請求項４に記載の装置（１）。
【請求項６】
前記第１の制御ユニット（１４０ａ）および第２の制御ユニット（１４０ｂ）が、外面の前記変形部分および内面の前記変形部分の照射が同時に起こるように、前記第１の光源（１１０）と、前記第３のサブ光源（１１１ａ）、前記第４のサブ光源（１１１ｂ）および前記第３の光源（１０９）の少なくとも１つとを駆動するように構成される、請求項２、請求項２に従属する場合の請求項３〜５のいずれか一項、請求項４、または請求項５に記載の装置（１）。
【請求項７】
前記第１の光源（１１０）および前記第１のカメラ（１０５ａ）を移動するように適合された第１のアーム（２２０ａ）と、前記第２の光源（１０８）および前記第２のカメラ（１０５ｂ）を移動するように適合された第２のアーム（２２０ｂ）とを含む、請求項１〜６のいずれか一項に記載の装置（１）。
【請求項８】
前記第２のカメラ（１０５ｂ）が光学面（１０７ｂ）を定め、前記装置が、前記光学面に垂直に配置された反射面（１５０）を定める反射素子を含み、前記反射素子が、前記光学面（１０７ｂ）に対して対称に配置される、請求項１〜７のいずれか一項に記載の装置（１）。
【請求項９】
前記処理ユニット（１８０）、第１の制御ユニット（１４０ａ）および第２の制御ユニット（１４０ｂ）が、
前記変形システム（１３０）を駆動して、前記タイヤ（２００）のショルダー部（２０５）の外面の一部に弾性変形部分を形成するように、
前記変形システム（１３０）が前記ショルダー部（２０５）の前記外面に作用し、前記移動部材が前記相対回転を付与する間、前記第１の光源（１１０）を駆動して、前記タイヤ（２００）のサイドウォール部（２０７）の外面の変形部分を拡散光放射で照射するように、および
前記変形システム（１３０）が前記ショルダー部（２０５）の前記外面に作用し、前記移動部材が前記相対回転を付与する間、前記第２の光源（１０８）を駆動して、前記タイヤ（２００）の前記ショルダー部（２０５）の内面の変形部分をグレージング光放射で照射するように
構成されるか、又は、
前記処理ユニット（１８０）、第１の制御ユニット（１４０ａ）および第２の制御ユニット（１４０ｂ）が、
前記変形システム（１３０）を駆動して、前記タイヤ（２００）のサイドウォール部（２０７）の外面の一部に弾性変形部分を形成するように、
前記変形システム（１３０）が前記サイドウォール部の前記外面に作用し、前記移動部材が前記相対回転を付与する間、前記第１の光源（１１０）を駆動して、前記タイヤのショルダー部（２０５）の外面の変形部分を拡散光放射で照射するように、および
前記変形システム（１３０）が前記サイドウォール部（２０７）の前記外面に作用し、前記移動部材が前記相対回転を付与する間、前記第２の光源（１０８）を駆動して、前記タイヤの前記サイドウォール部の内面の変形部分をグレージング光放射で照射するように
構成される、請求項１〜８のいずれか一項に記載の装置（１）。
【請求項１０】
タイヤ製造ライン内でタイヤ（２００）を検査する方法であって、
検査されるべきタイヤ（２００）を提供すること、
前記タイヤの外面の一部を変形させて、内面（２１３）の弾性変形部分と外面（２１２）の弾性変形部分とを形成すること、
上述の変形と同時に、第１の光源（１１０）によって発せられる第１の拡散光放射によって外面の前記変形部分を照射すること、
第１のカメラ（１０５ａ）を介して外面の前記変形され、かつ照射された部分の第１の画像を取得すること、
上述の変形と同時に、第２の光源（１０８）によって発せられる第２のグレージング光放射によって内面の前記変形部分を照射すること、
第２のカメラ（１０５ｂ）を介して内面の前記変形され、かつ照射された部分の少なくとも１つの第２の画像を取得すること、および
前記変形および照射の間、前記タイヤを前記第１の光源（１１０）および前記第２の光源（１０８）に対して前記タイヤ（２００）の回転軸（２０１）の周りで相対回転させること 
を含む方法。
【請求項１１】
第２の光源（１０８）によって発せられる第２のグレージング光放射によって内面の前記変形部分を照射することが、前記第２のカメラ（１０５ｂ）によって定められた光学面（１０７ｂ）に関して対向する半平面から来る第４のグレージング光放射および第５のグレージング光放射によって、内面の前記変形部分を照射することを含む、請求項１０に記載の方法。
【請求項１２】
前記第４のグレージング光放射で内面の前記変形部分を照射することが、前記第５のグレージング光放射による内面の前記変形部分の照射とは異なる時間に起こる、請求項１１に記載の方法。
【請求項１３】
上述の変形と同時に、第３の光源（１０９）によって発せられる第３の拡散光放射によって内面の前記変形され、かつ照射された部分を照射すること
を含み、
前記第３の拡散光放射によって内面の前記変形部分を照射することが、前記第４のグレージング光放射による内面の前記変形部分の照射または前記第５のグレージング光放射による内面の前記変形部分の照射と異なる時間に起こる、請求項１１または１２に記載の方法。
【請求項１４】
前記変形が力を加えることによって行われ、前記力が前記タイヤの回転軸（２０１）の方向の成分を含む、請求項１０〜１３のいずれか一項に記載の方法。
【請求項１５】
前記変形を前記タイヤ（２００）から取り除くこと、
前記タイヤの外面の異なる部分をさらに変形させて、外面変形表面のさらなる部分および内面変形表面のさらなる部分を作り出すこと、
上述のさらなる変形と同時に、前記第１の拡散光放射によって外面の前記さらなる変形部分を照射すること、
前記第１のカメラ（１０５ａ）を介して外面の前記さらなる変形をされ、かつ照射された部分の第３の画像を取得すること、
上述のさらなる変形と同時に、前記第２のグレージング光放射によって内面の前記さらなる変形部分を照射すること
前記第２のカメラ（１０５ｂ）を介して内面の前記さらなる変形をされ、かつ照射された部分の少なくとも１つの第４の画像を取得すること、および
前記変形および照射の間、前記タイヤを前記第１の光源（１１０）および前記第２の光源（１０８）に対して前記タイヤの回転軸（２０１）周りで相対回転させること
を含む、請求項１０〜１４のいずれか一項に記載の方法。